【手続補正書】
【提出日】平成17年8月3日(2005.8.3)
【手続補正１】
【補正対象書類名】明細書
【補正対象項目名】全文
【補正方法】変更
【補正の内容】
【書類名】              明細書
【発明の名称】          パチンコ機
【特許請求の範囲】
【請求項１】  パチンコ球を島設備へ排出するための排出経路と、前記排出経路の周りを囲い巡る外枠と、を有し、前記排出経路の終端部分でパチンコ球が前記外枠の底面に向かって転動するパチンコ機において、
前記排出経路の終端部分の遊技盤側の内壁面に、前記排出経路の終端開口部へ進むに伴い反遊技盤側に片寄る傾斜部分を有する突起物を設けることにより、前記排出経路の終端部分で前記外枠の底面に向かって転動するパチンコ球を前記突起物の傾斜部分に衝突させること、を特徴とするパチンコ機。
【請求項２】  請求項１に記載するパチンコ機において、
前記排出経路の終端開口部の反遊技盤側に切り欠きが設けられたこと、を特徴とするパチンコ機。
【発明の詳細な説明】
【０００１】
【発明の属する技術分野】
本発明は、パチンコ球を島設備へ排出するための排出経路を有するパチンコ機に関する。
【０００２】
【従来の技術】
従来、例えば、反遊技盤側が示された図３のパチンコ機１００では、セーフ球とアウト球とを島設備へ排出することを、外枠１０１に環囲されたメインセット盤１０２で行っている。そこで、ここでは、メインセット盤１０２の斜視図である図４をも参照して、セーフ球とアウト球とが島設備へ排出されるまでの、メインセット盤１０２におけるセーフ球とアウト球の流れについて説明する。
【０００３】
先ず、メインセット盤１０２におけるアウト球の流れについて説明する。図示しない遊技盤のアウト口にパチンコ球が入球すると、そのパチンコ球はアウト球１２１（図４参照）となり、第１区域１０３（図４参照）に落下する。その後、第１区域１０３（図４参照）に落下したアウト球１２１（図４参照）は、第１区域１０３（図４参照）と連通する第１排出経路１０４を転動し、排出口１０５から落下する。これにより、アウト球１２１（図４参照）は、パチンコ機１００から排出され、島設備の球回収補給システムに回収されることになる。
【０００４】
次に、メインセット盤１０２におけるセーフ球の流れについて説明する。図示しない遊技盤のセーフ口のいずれかにパチンコ球が入球すると、そのパチンコ球はセーフ球１２２（図４参照）となり、第２区域１０６（図４参照）に落下する。その後、第２区域１０６（図４参照）に落下したセーフ球１２２（図４参照）は、第２区域１０６（図４参照）と連通するセーフ球集合樋１０５（図３参照）を転動する。そして、セーフ球１２２（図４参照）がセーフ球集合樋１０５（図３参照）の終端にまで転動し、セーフ球１２２（図４参照）がセーフ球確認スイッチ１０８で検知されると、セーフ球ソレノイド１０９によりセーフ球送りカム１１０が作動することより、セーフ球１２２（図４参照）は第２排出経路１１１へと送り出される。第２排出経路１１１へと送り出されたセーフ球１２２（図４参照）は、第２排出経路１１１を転動し、第２排出経路１１１が合流する第１排出経路１０４を経て、排出口１０５から落下する。これにより、セーフ球１２２（図４参照）は、パチンコ機１００から排出され、島設備の球回収補給システムに回収されることになる。
【０００５】
さらに、図３のパチンコ機１００では、島設備からメインセット盤１０２へ賞球として補給されたパチンコ球を、島設備へ排出することができる。そこで、ここでは、図３と図４を参照して、島設備から賞球として補給されたパチンコ球が島設備へ排出されるまでの、メインセット盤１０２におけるパチンコ球（島設備から賞球として補給されたもの）の流れについて説明する。
【０００６】
メインセット盤１０２においては、島設備から補給されるパチンコ球は、賞球１２３（図４参照）として、一旦、賞球タンク１１２で貯留される。その後、賞球タンク１１２で貯留された賞球１２３（図４参照）は、賞球１２３（図４参照）と連通するタンクレール１１３を転動する。このとき、球抜きレバー１１４が作動していると、タンクレール１１３を転動する賞球１２３（図４参照）は、図示しないバイパス経路を介して、第２排出経路１１１へと案内される。そして、第２排出経路１１１へと案内された賞球１２３（図４参照）は、第２排出経路１１１を転動し、第２排出経路１１１が合流する第１排出経路１０４を経て、排出口１０５から落下する。これにより、賞球１２３（図４参照）は、パチンコ機１００から排出され、島設備の球回収補給システムに回収されることになる。
【０００７】
もっとも、パチンコ機１００においては、図５に示すように、排出口１０５から落下するアウト球１２１、セーフ球１２２、賞球１２３は、外枠１０１の底面に向かって落下するので、例えば、図６に示すように、回収受皿１３１を島設備の設置台１３０に設けて、アウト球１２１、セーフ球１２２、賞球１２３を、島設備の球回収補給システムに確実に回収させていた。
【０００８】
【発明が解決しようとする課題】
しかしながら、図６に示す回収受皿１３１は、排出口１０５から外枠１０１の底面に向かって落下する、アウト球１２１、セーフ球１２２、賞球１２３を漏れなく受け取るために、排出口１０５と外枠１０１の底面との間にまで延出していることから、パチンコ機を入れ替える際に互いに傷つけるおそれがあり、パチンコ機の入れ替え作業がスムーズに進行できない要因になっていた。
【０００９】
【課題を解決するための手段】
そこで、この問題点を解決するために、請求項１に係る発明は、パチンコ球を島設備へ排出するための排出経路と、前記排出経路の周りを囲い巡る外枠と、を有し、前記排出経路の終端部分でパチンコ球が前記外枠の底面に向かって転動するパチンコ機において、前記排出経路の終端部分の遊技盤側の内壁面に、前記排出経路の終端開口部へ進むに伴い反遊技盤側に片寄る傾斜部分を有する突起物を設けることにより、前記排出経路の終端部分で前記外枠の底面に向かって転動するパチンコ球を前記突起物の傾斜部分に衝突させること、を特徴としている。
【００１０】
また、請求項２に係る発明は、請求項１に記載するパチンコ機において、前記排出経路の終端開口部の反遊技盤側に切り欠きが設けられたこと、を特徴としている。
【００１１】
【００１２】
【００１３】
このような特徴を有する本発明のパチンコ機では、排出経路の終端部分において、パチンコ球が外枠の底面に向かって転動している。このとき、排出経路の終端部分では、その遊技盤側の内壁面に、排出経路の終端開口部へ進むに伴い反遊技盤側に片寄る傾斜部分を有する突起物が設けられており、排出経路の終端部分で外枠の底面に向かって転動するパチンコ球は、排出経路の終端開口部から落下する直前に、その突起物の傾斜部分と衝突する。そのため、排出経路の終端開口部から落下したパチンコ球は、外枠の底面に向かうのではなく、反遊技盤側の島設備方面に向かうこととなり、外枠の底面に落下することはない。
【００１４】
従って、従来技術とは異なって、パチンコ球を島設備に確実に回収させるために、排出経路の終端開口部と外枠の底面との間にまで、回収受皿を延出させることは不要となる。
【００１５】
すなわち、本発明のパチンコ機では、排出経路の終端部分の遊技盤側の内壁面に設けた突起物の傾斜部分によって、排出経路の終端開口部から落下したパチンコ球は、外枠の底面に向かうのではなく、反遊技盤側に向かうことになり、外枠の底面に落下することはないから、従来技術とは異なって、排出経路の終端開口部と外枠の底面との間にまで回収受皿を延出させることなく、排出経路の終端開口部から落下したパチンコ球を回収受皿で受け取ることができるので、パチンコ機を入れ替える際に、パチンコ機本体と回収受皿とが互いに傷つくおそれをなくすことができる。従って、本発明のパチンコ機を互いに入れ替る作業では、外枠、排出経路の終端開口部、回収受皿の位置関係に対する配慮が不要となるので、その進行はスムーズとなる。
【００１６】
また、排出経路の終端開口部の反遊技盤側に切り欠きを設けた場合には、排出経路の終端部分で外枠の底面に向かって転動するパチンコ球が、排出経路の終端部分の遊技盤側の内壁面に設けた突起物の傾斜部分に衝突した後に、反遊技盤側に向かう際において、排出経路の終端開口部の反遊技盤側の内壁面に再び衝突する事態を回避することが可能となるので、パチンコ球が排出経路の終端開口部から外枠の底面に落下することを防止できる。
【００１７】
尚、排出経路を転動するパチンコ球には、セーフ球、アウト球、島設備から賞球として補給されたパチンコ球などがある。従って排出経路の終端開口部には、、セーフ球、アウト球、島設備から賞球として補給されたパチンコ球のいずれか１つを排出するもの、セーフ球、アウト球、島設備から賞球として補給されたパチンコ球のいずれも排出するもの、セーフ球とアウト球とを排出するもの、アウト球と島設備から賞球として補給されたパチンコ球とを排出するもの、島設備から賞球として補給されたパチンコ球とセーフ球とを排出するものなどがある。
【００１８】
【発明の実施の形態】
以下、本発明の実施の形態を図面を参照にして説明する。本発明の実施の形態は、従来技術の欄で述べたパチンコ機１００（図３参照）を改良したものである。従って、従来技術のパチンコ機１００との共通点については、従来技術の欄で既に述べているので、ここでは省略することにし、従来技術のパチンコ機１００との相違点について詳細に説明する。
【００１９】
従来技術のパチンコ機１００との相違点は、図１、図２に示すように、メインセット盤１０２において、排出口１０５（「排出経路の終端開口部」に相当するもの）の反遊技盤側（図２の矢印Ｂの方向）に長方形の切り欠き１１を設けた点と、第１排出経路１０４の終端部分の遊技盤側（図２の矢印Ａの方向）の内壁面に突起物１２を形成した点と、にある。従って、第１排出経路１０４の終端部分の遊技盤側（図２の矢印Ａの方向）の内壁面は、その突起物１２の傾斜部分により、排出口１０５へ進むに伴って、反遊技盤側（図２の矢印Ｂの方向）に片寄っていく。
【００２０】
そして、図２に示すように、第１排出経路１０４を転動するアウト球１２１（図１参照）は、排出口１０５から落下する直前に、その突起物１２の傾斜部分と衝突する。そのため、排出口１０５から落下したアウト球１２１は、外枠１０１の底面に向かうのではなく、反遊技盤側の島設備方面（図２の矢印Ｂの方向）に向かうこととなり、外枠１０１の底面に落下することはない。
【００２１】
また、第２排出経路１１１を転動するセーフ球１２２（図１参照）は、第１排出経路１０４を経て、排出口１０５から落下する直前に、その突起物１２の傾斜部分と衝突する。そのため、排出口１０５から落下したセーフ球１２２は、外枠１０１の底面に向かうのではなく、反遊技盤側の島設備方面（図２の矢印Ｂの方向）に向かうこととなり、外枠１０１の底面に落下することはない。
【００２２】
また、第２排出経路１１１を転動する賞球１２３（図１参照）は、第１排出経路１０４を経て、排出口１０５から落下する直前に、その突起物１２の傾斜部分と衝突する。そのため、排出口１０５から落下した賞球１２３は、外枠１０１の底面に向かうのではなく、反遊技盤側の島設備方面（図２の矢印Ｂの方向）に向かうこととなり、外枠１０１の底面に落下することはない。
【００２３】
従って、図２に示すように、島設備の設置台１３０に設けられた回収受皿１３は、排出口１０５と外枠１０１の底面との間にまで延出していないにもかかわらず、排出口１０５から落下するアウト球１２１、セーフ球１２２、賞球１２３を漏れなく受け取ることができる。
【００２４】
以上、本実施の形態のパチンコ機１００では、従来技術と同様に、第１排出経路１０４の終端部分において、アウト球１２１が外枠１０１の底面に向かって転動している。しかし、第１排出経路１０４の終端部分では、従来技術とは異なり、その遊技盤側（図２の矢印Ａの方向）の内壁面が、突起物１２の傾斜部分により、排出口１０５へ進むに伴い反遊技盤側（図２の矢印Ｂの方向）に片寄っていく。そして、第１排出経路１０４の終端部分で外枠１０１の底面に向かって転動するアウト球１２１は、排出口１０５から落下する直前に、突起物１２の傾斜部分と衝突する。そのため、排出口１０５から落下したアウト球１２１は、外枠１０１の底面に向かうのではなく、反遊技盤側（図２の矢印Ｂの方向）の島設備方面に向かうこととなり、外枠１０１の底面に落下することはない。
【００２５】
また、第１排出経路１０４においては、セーフ球１２２や賞球１２３が転動する第２排出経路１１１が合流している。従って、排出口１０５は、アウト球１２１だけでなく、セーフ球１２２、賞球１２３も排出するものであり、第１排出経路１０４と第２排出経路１１１とが「排出経路」に相当することになる。そして、アウト球１２１と同様にして、排出口１０５から落下したセーフ球１２２、賞球１２３は、その直前に突起物１２の傾斜部分と衝突するため、外枠１０１の底面に向かうのではなく、反遊技盤側（図２の矢印Ｂの方向）の島設備方面に向かうこととなり、外枠１０１の底面に落下することはない。
【００２６】
従って、従来技術とは異なって、排出口１０５から落下したアウト１２１球、セーフ球１２２、賞球１２３を島設備に確実に回収させるために、排出口１０５と外枠１０１の底面との間にまで、回収受皿１３を延出させることは不要となる。
【００２７】
すなわち、本実施の形態のパチンコ機１００では、第１排出経路１０４の終端部分の遊技盤側（図２の矢印Ａの方向）の内壁面に設けた突起物１２の傾斜部分によって、排出口１０５から落下したアウト１２１球、セーフ球１２２、賞球１２３は、外枠１０１の底面に向かうのではなく、反遊技盤側（図２の矢印Ｂの方向）に向かうことになり、外枠１０１の底面に落下することはないから、従来技術とは異なって、排出口１０５と外枠１０１の底面との間にまで回収受皿１３を延出させることなく、排出口１０５から落下したアウト球１２１、セーフ球１２２、賞球１２３を回収受皿１３で受け取ることができるので、パチンコ機１００を入れ替える際に、パチンコ機１００の本体と回収受皿１３とが互いに傷つくおそれをなくすことができる。従って、本実施の形態のパチンコ機１００を互いに入れ替る作業では、外枠１０１、排出口１０５、回収受皿１３の位置関係に対する配慮が不要となるので、その進行はスムーズとなる。
【００２８】
また、排出口１０５の反遊技盤側（図２の矢印Ｂの方向）に切り欠き１１を設けており、第１排出経路１０４の終端部分で外枠１０１の底面に向かって転動するアウト球１２１、セーフ球１２２、賞球１２３が、突起物１２の傾斜部分に衝突した後に、反遊技盤側（図２の矢印Ｂの方向）に向かう際において、排出口１０５の反遊技盤側（図２の矢印Ｂの方向）の内壁面に再び衝突する事態を回避することが可能となるので、アウト球１２１、セーフ球１２２、賞球１２３が排出口１０５から外枠１０１の底面に落下することを防止できる。
【００２９】
尚、本発明は上記実施の形態に限定されるものでなく、その趣旨を逸脱しない範囲で様々な変更が可能である。
例えば、本実施の形態の排出口１０５は、アウト球１２１、セーフ球１２２、賞球１２３のいずれも排出するものであったが、アウト球１２１、セーフ球１２２、賞球１２３のいずれか１つを排出するもの、アウト球１２１とセーフ球１２２とを排出するもの、アウト球１２１と賞球１２３とを排出するもの、賞球１２３とセーフ球１２２とを排出するものであってもよい。
【００３０】
【発明の効果】
本発明のパチンコ機では、排出経路の終端部分の遊技盤側の内壁面に設けた突起物の傾斜部分によって、排出経路の終端開口部から落下したパチンコ球は、外枠の底面に向かうのではなく、反遊技盤側に向かうことになり、外枠の底面に落下することはないから、従来技術とは異なって、排出経路の終端開口部と外枠の底面との間にまで回収受皿を延出させることなく、排出経路の終端開口部から落下したパチンコ球を回収受皿で受け取ることができるので、パチンコ機を入れ替える際に、パチンコ機本体と回収受皿とが互いに傷つくおそれをなくすことができる。従って、本発明のパチンコ機を互いに入れ替る作業では、外枠、排出経路の終端開口部、回収受皿の位置関係に対する配慮が不要となるので、その進行はスムーズとなる。
【００３１】
また、排出経路の終端開口部の反遊技盤側に切り欠きを設けた場合には、排出経路の終端部分で外枠の底面に向かって転動するパチンコ球が、排出経路の終端部分の遊技盤側の内壁面に設けた突起物の傾斜部分に衝突した後に、反遊技盤側に向かう際において、排出経路の終端開口部の反遊技盤側の内壁面に再び衝突する事態を回避することが可能となるので、パチンコ球が排出経路の終端開口部から外枠の底面に落下することを防止できる。
【図面の簡単な説明】
【図１】
本実施の形態のパチンコ機において、メインセット盤の排出口を部分的に拡大した図である。
【図２】
本実施の形態のパチンコ機において、排出口から落下するパチンコ球の軌道を示した模式図である。
【図３】
従来技術のパチンコ機の反遊技盤側の正面図（パチンコ機の裏面図）である。
【図４】
従来技術のパチンコ機のメインセット盤の斜視図である。
【図５】
従来技術のパチンコ機において、排出口から落下するパチンコ球の軌道を示した模式図である。
【図６】
従来技術のパチンコ機において、排出口から落下するパチンコ球を回収受皿で受け取る様子を示した模式図である。
【符号の説明】
１１  切り欠き
１２  突起物
１００  パチンコ機
１０１  外枠
１０４  第１排出経路
１０５  排出口
１１１  第２排出経路
１２１  アウト球（パチンコ球）
１２２  セーフ球（パチンコ球）
１２３  賞球（パチンコ球）
Ａ  遊技盤側
Ｂ  反遊技盤側